(57)【要約】【課題】コネクタ近傍の端末部を折り曲げた状態で、束ね部に引っ張り応力が加わった際の断線防止耐性を向上したケーブルアセンブリの提供。【解決手段】複数本の電線の端末がコネクタの幅方向に沿って並べられ該コネクタに接続され、且つ複数本の電線が束ねられた束ね部を有するケーブルアセンブリにおいて、前記束ね部とコネクタとの間の電線長さが、コネクタの幅方向の一端から他端に向かって順次異なっており、且つ最小長さの電線がコネクタの幅方向の端と幅方向中央との間に配置されたことを特徴とするケーブルアセンブリ。【選択図】図６
2009117197.tif 000002
【特許請求の範囲】
【請求項１】
複数本の電線の端末がコネクタの幅方向に沿って並べられ該コネクタに接続され、且つ複数本の電線が束ねられた束ね部を有するケーブルアセンブリにおいて、
前記束ね部とコネクタとの間の電線長さが、コネクタの幅方向の一端から他端に向かって順次異なっており、且つ最小長さの電線がコネクタの幅方向の端と幅方向中央との間に配置されたことを特徴とするケーブルアセンブリ。
【請求項２】
前記束ね部とコネクタとの間の電線長さが、コネクタの幅方向の一端から他端に向かって順次減少し、最小長さの電線を経て、端に向けて長さが増加するように配置されたことを特徴とする請求項１に記載のケーブルアセンブリ。
【請求項３】
２０〜８０本の電線を有し、最小長さの電線が、コネクタの幅方向の端から３〜５本中央寄りに最小長さの電線が配置されたことを特徴とする請求項１又は２に記載のケーブルアセンブリ。
【請求項４】
２０〜８０本の電線の端末がコネクタの幅方向に沿って並べられ該コネクタに接続され、且つ該電線が束ねられた束ね部を有するケーブルアセンブリにおいて、
前記束ね部とコネクタとの間の電線長さが、コネクタの幅方向の両端からそれぞれ３〜５本の電線が長く、それよりも中央の電線は前記端側の電線よりも短い一定長さに揃えられていることを特徴とするケーブルアセンブリ。
【請求項５】
前記電線が極細単芯ケーブルと極細同軸ケーブルの一方又は両方を含むことを特徴とする請求項１〜４のいずれかに記載のケーブルアセンブリ。
【発明の詳細な説明】
【技術分野】
【０００１】
本発明は、複数本の電線の両端がそれぞれコネクタに接続されたケーブルアセンブリに関し、特に、電線束ね部に引っ張り応力が加わった際の断線防止耐性を向上したケーブルアセンブリに関する。
【背景技術】
【０００２】
例えば、ノートパソコン、携帯電話機、小型ビデオカメラなどの小型の通信機器、情報機器においては、機器本体部分とディスプレイとの電気的接続や、機器内の配線などに、極めて細い多数の電線が用いられている。この多数の電線は、配線を容易にし、かつ収容面積をできるだけ少なくするために、多数本の電線を束ね、端部にコネクタを接続したコネクタ付きケーブルアセンブリという形態で用いられるのが一般的である。
【０００３】
コネクタ付きケーブルアセンブリは、単芯ケーブルや同軸ケーブルなどの電線を多数本束ねた束ね部と、この束ね部とコネクタとの間にあって、一線状に端子が配列された平形のコネクタに向かって電線が拡げられた端末部と、この端末部に接続されるコネクタとからなる。
【０００４】
ケーブルアセンブリの電線の長さに関する既存発明としては、例えば、特許文献１〜２が挙げられる。
【特許文献１】特許第３８４３９８４号公報
【特許文献２】特開２００６−３３１８１６号公報
【発明の開示】
【発明が解決しようとする課題】
【０００５】
特許文献１（特に請求項４）、特許文献２（特に請求項３）には、フラットケーブルの両端いずれか一方の電線を最も短くし、他方の端に向かうに従って電線が長くなる形状が記載されている。図１は、特許文献１の図２（Ｂ）に記された構造を示し、符号１はコネクタ付き多心ケーブル、２は電線、３はコネクタ、４は束ね部である。また、図５（ａ）、（ｂ）は、前述した通りフラットケーブルの両端いずれか一方の電線２を最も短くし、他方の端に向かうに従って電線２が長くなる場合の電線末端部の並びを模式的に示す図である。この図５では、束ね部４とコネクタ３と間の電線端末部（コネクタ未接続状態）を示している。
図５（ａ）に示す電線末端部の並びは、コネクタ幅方向の一端側（図では上端側）が最小長さの電線２であり、この一端側から他端側（図では下端側）に向けて電線長さを一定の割合で長くした場合を示している。本例示では、電線端末部は斜めの直線状に揃えられ、一端側（上端側）が最小長さの電線２である。
また図５（ｂ）に示す電線末端部の並びは、コネクタ幅方向の一端側（図では上端側）が最小長さの電線２であり、この一端側から他端側（図では下端側）に向けて電線長さを長くしているが、本例示では、電線端末部が曲線状（放物線状）に揃えられている。
このようなケーブルアセンブリが、実際に電子機器に配置される場合には、機器内配線部の制約から、端末部が図２に示すように折り曲げて形付けられることが多い。
【０００６】
しかしながら、図２に示すように形付けられたケーブルアセンブリの端末部は、図２中矢印で示す方向に束ね部４が引っ張られた場合、内側の電線（最小長さ側の電線）が容易に断線してしまう。
そのため、電子機器内で内側の電線が突っ張るような形に配線される場合や、組み込む際の作業方法、また何らかの要因でケーブルアセンブリを取り外す必要ができた場合の作業方法によっては、断線が多発するという不具合の原因となっている。なお、断線は、電線そのものが途中で切れるのではなく、端末部における断線や抜けが多い。
【０００７】
この現象を確認するために、図３に示すようにコネクタ３を固定した状態で束ね部を引っ張ったところ、約５Ｎの引っ張り応力で内側の電線３本が断線した。また、図４では、内側の電線が引っ張られる様子がわかる。
【０００８】
なお、図１の形状のコネクタ付きケーブルアセンブリにおいても、この図中左側のコネクタ３を固定した状態で、束ね部４を図中矢印の方向に向けて引っ張ると、このコネクタに接続された電線のうち、図中上側の電線が同様に断線する。
【０００９】
本発明は、前記事情に鑑みてなされ、コネクタ近傍の端末部を折り曲げた状態で、束ね部に引っ張り応力が加わった際の断線防止耐性を向上したケーブルアセンブリの提供を目的とする。
【課題を解決するための手段】
【００１０】
前記目的を達成するため、本発明は、複数本の電線の端末がコネクタの幅方向に沿って並べられ該コネクタに接続され、且つ複数本の電線が束ねられた束ね部を有するケーブルアセンブリにおいて、
前記束ね部とコネクタとの間の電線長さが、コネクタの幅方向の一端から他端に向かって順次異なっており、且つ最小長さの電線がコネクタの幅方向の端と幅方向中央との間に配置されたことを特徴とするケーブルアセンブリを提供する。
【００１１】
本発明のケーブルアセンブリにおいて、前記束ね部とコネクタとの間の電線長さが、コネクタの幅方向の一端から他端に向かって順次減少し、最小長さの電線を経て、端に向けて長さが増加するように配置されたことが好ましい。
【００１２】
本発明のケーブルアセンブリにおいて、２０〜８０本の電線を有し、最小長さの電線が、コネクタの幅方向の端から３〜５本中央寄りに最小長さの電線が配置されたことが好ましい。
【００１３】
また本発明は、２０〜８０本の電線の端末がコネクタの幅方向に沿って並べられ該コネクタに接続され、且つ該電線が束ねられた束ね部を有するケーブルアセンブリにおいて、
前記束ね部とコネクタとの間の電線長さが、コネクタの幅方向の両端からそれぞれ３〜５本の電線が長く、それよりも中央の電線は前記端側の電線よりも短い一定長さに揃えられていることを特徴とするケーブルアセンブリを提供する。
【００１４】
本発明のケーブルアセンブリにおいて、前記電線が極細単芯ケーブルと極細同軸ケーブルの一方又は両方を含むことが好ましい。
【発明の効果】
【００１５】
本発明のケーブルアセンブリは、最小長さの電線がコネクタの幅方向の端と幅方向中央との間に配置された構成とし、又はコネクタの幅方向の両端からそれぞれ３〜５本の電線が長く、それよりも中央の電線は前記端側の電線よりも短い一定長さに揃えられた構成としたものなので、コネクタ近傍の端末部を折り曲げた状態で、束ね部に引っ張り応力が加わった際の断線防止耐性を向上させることができる。
【発明を実施するための最良の形態】
【００１６】
以下、図面を参照して本発明の実施形態を説明する。
図６は、本発明のケーブルアセンブリの第１実施形態を示し、電線末端部の並びを模式的に示す図である。この図中、符号１０は電線、１１は最小長さの電線、１２は最小長さの電線１１よりも一端側にある端側の電線、１３は他の電線である。この図６では、図示していない束ね部とコネクタと間の電線端末部（コネクタ未接続状態）を示している。
【００１７】
本実施形態のケーブルアセンブリは、複数本の電線１０の端末がコネクタの幅方向に沿って並べられ該コネクタに接続され、且つ複数本の電線１０が束ねられた束ね部を有するケーブルアセンブリにおいて、束ね部とコネクタとの間の電線長さが、コネクタの幅方向の一端から他端に向かって順次異なっており、且つ最小長さの電線１１がコネクタの幅方向の端と幅方向中央との間に配置されたことを特徴としている。
【００１８】
本実施形態のケーブルアセンブリにおいて、図６（ａ）に示す例示では、コネクタ幅方向の一端側（図では上側）から中央寄りに数本おいて設けられた最小長さの電線１１を基準とし、この最小長さの電線１１よりも一端側にある数本の端側の電線１２は、最小長さの電線より長く、且つ端側の電線１２は、最小長さの電線１１から一端側に向けて順次長さを増している。また、それ以外の電線１３は、最小長さの電線１１から他端側（図では下側）に向けて順次長さを増している。
【００１９】
また、図６（ｂ）に示す例示では、最小長さ電線１１の配置位置や、該電線から各端に向けての長さの変動傾向は図６（ａ）の場合と同じであるが、電線端末部の長さ変動を（ａ）のような直線状ではなく、曲線状（放物線状）にしたことを特徴としている。
【００２０】
好ましい実施形態において、本実施形態のケーブルアセンブリは、２０〜８０本の電線１０を有し、最小長さの電線１１が、コネクタの幅方向の端から３〜５本中央寄りに配置されたことが好ましい。
【００２１】
本実施形態のケーブルアセンブリにおいて、前記電線１０としては、特に限定されず、各種の電線を使用出来るが、極細単芯ケーブルと極細同軸ケーブルの一方又は両方を含むことが好ましく、全てが極細単芯ケーブル又は極細同軸ケーブルからなるものであることがより好ましい。
【００２２】
本実施形態のケーブルアセンブリにおいて、束ね部は、電線１０を構成する被覆材どうしを接着剤で接着したり、融着した構造であっても、複数本の電線１０を束ねてチューブやテープ等の被膜で覆った構成であってもよい。
【００２３】
本実施形態のケーブルアセンブリにおいて、最小長さの電線１１と、最大長さの電線１０（下端側の電線）との長さの差は、１〜５ｍｍ程度とすることが好ましい。
【００２４】
本実施形態のケーブルアセンブリは、最小長さの電線１１がコネクタの幅方向の端と幅方向中央との間に配置された構成としたものなので、コネクタ近傍の端末部を折り曲げた状態で、束ね部に引っ張り応力が加わった際の断線防止耐性を向上させることができる。
【００２５】
図７は、本発明のケーブルアセンブリの第２実施形態を示す図である。本実施形態のケーブルアセンブリは、前記第１実施形態と同様であるが、本実施形態では、最小長さの電線１１よりも一端側（上側）の端側の電線１２の長さを、最小長さの電線１１よりも長い一定の長さとしたことを特徴としている。
【００２６】
図７（ａ）は、端側の電線１２の長さ以外は、図６（ａ）の電線と同じであり、電線１３の端末は、斜めの直線状に揃えられている。
図７（ｂ）は、端側の電線１２の長さ以外は、図６（ｂ）の電線と同じであり、電線１３の端末は、斜めの曲線状（放物線状）に揃えられている。
【００２７】
本実施形態のケーブルアセンブリは、最小長さの電線１１がコネクタの幅方向の端と幅方向中央との間に配置された構成としたものなので、コネクタ近傍の端末部を折り曲げた状態で、束ね部に引っ張り応力が加わった際の断線防止耐性を向上させることができる。
【００２８】
図８〜図１０は、本発明のケーブルアセンブリの第３実施形態を示す図であり、図８は、電線１０の端末部の並びを模式的に示す図、図９はケーブルアセンブリの概略平面図、図１０はケーブルアセンブリの実装状態を例示する概略平面図である。これらの図中、符号１０は電線、１４は中央側の電線、１５は端側の電線、２０はケーブルアセンブリ、２１と２２はコネクタ、２３は束ね部、２４は端末部である。
【００２９】
本実施形態のケーブルアセンブリ２０は、２０〜８０本の電線１０の端末がコネクタ２１，２２の幅方向に沿って並べられ該コネクタ２１，２２に接続され、且つ該電線が束ねられた束ね部２３を有するケーブルアセンブリ２０において、前記束ね部２３とコネクタ２１，２２との間の電線長さが、コネクタの幅方向の両端からそれぞれ３〜５本の端側の電線１５が長く、それよりも中央側の電線１４は前記端側の電線１５よりも短い一定長さに揃えられていることを特徴としている。
【００３０】
本実施形態のケーブルアセンブリ２０は、フラットケーブルを構成する２０〜８０本の電線１０のうち、コネクタ幅方向両端にある３〜５本の端側の電線１５のみを長くし、それ以外の電線１４を同じ長さとしている。そして、両端末に同じだけ角度をつけることによって、コネクタ２１，２２近傍を図１０の形状に折り曲げて実装する。
【００３１】
両端（コネクタ２１，２２）とも、電線１４，１５の長さの差は、内側に余長を持たせることに使われる。コネクタ反対側（外側）は通常の長さ（電線１４の長さ）のままである。
本実施形態のケーブルアセンブリ２０は、コネクタ幅方向両端にある３〜５本の端側の電線１５のみを長くし、それ以外の電線１４を同じ長さとしたものなので、コネクタ近傍の端末部を折り曲げた状態で、束ね部に引っ張り応力が加わった際の断線防止耐性を向上させることができる。
【００３２】
なお、本発明は、前述した各実施形態の例示にのみ限定されず、種々の修正や変更が可能である。
例えば、端末部に接続されるものはコネクタだけでなく、各種回路基板などでも良い。
また、ケーブルは直線状に限らず、途中で分岐しているケーブルでも良い。
【実施例】
【００３３】
［実施例］
直径０．３ｍｍ、長さ８０〜１０２ｍｍの５０本の電線（極細同軸ケーブル）を束ね、束ね部から端末部が、図６（ａ）に示すように、コネクタ幅方向の一端側から４本目に最小長さの電線（長さ８０ｍｍ）を配置し、この最小長さの電線からコネクタ幅方向両端側に向けて電線長さが順次長くなるように揃え、この端末部を極細同軸ケーブル用コネクタ（半田付タイプ、コンタクトピッチ０．４ｍｍ、５０極）に接続し、ケーブルアセンブリを作製した。
電線接続後、コネクタ近傍の端末部を図２に示すように折り曲げ、束ね部を図２中の矢印の方向に所定の力で引っ張って、断線の有無を確認した。その結果、１０Ｎの引っ張り応力を加えても断線しなかった。
【００３４】
［比較例］
電線の端末部を、図５（ａ）に示すように、コネクタ幅方向の一端側の最も端に最小長さの電線を配し、これからコネクタ幅方向他端側に向けて、順次電線長さが長くなるように揃え、それ以外は前記実施例と同様にしてケーブルアセンブリを作製した。
実施例１と同じく、コネクタ近傍の端末部を図２に示すように折り曲げ、束ね部を図２中の矢印の方向に所定の力で引っ張って、断線の有無を確認した。その結果、５Ｎの引っ張り応力を加えると、一端側の電線３本が断線した。
【図面の簡単な説明】
【００３５】
【図１】従来のケーブルアセンブリを例示する平面図である。
【図２】従来のケーブルアセンブリのコネクタ近傍を折り曲げた状態を示す概略図である。
【図３】従来のケーブルアセンブリにおいて端末部に断線が生じる場合を説明する斜視図である。
【図４】従来のケーブルアセンブリにおいて端末部に断線が生じる場合を説明する要部拡大図である。
【図５】従来のケーブルアセンブリの束ね部とコネクタと間の電線端末部（コネクタ未接続状態）を示す要部平面図である。
【図６】本発明のケーブルアセンブリの第１実施形態を示し、束ね部とコネクタと間の電線端末部（コネクタ未接続状態）を示す要部平面図である。
【図７】本発明のケーブルアセンブリの第２実施形態を示し、束ね部とコネクタと間の電線端末部（コネクタ未接続状態）を示す要部平面図である。
【図８】本発明のケーブルアセンブリの第３実施形態を示す電線の要部平面図である。
【図９】本発明のケーブルアセンブリの第３実施形態を示す概略平面図である。
【図１０】本発明のケーブルアセンブリの第３実施形態を示し、両方のコネクタ近傍を折り曲げた実装状態を例示する概略平面図である。
【符号の説明】
【００３６】
１０…電線、１１…最小長さの電線、１２…端側の電線、１３…他の電線、１４…中央側の電線、１５…端側の電線、２０…ケーブルアセンブリ、２１,２２…コネクタ、２３…束ね部、２４…端末部。
【図１】
2009117197.tif 000003
【図２】
2009117197.tif 000004
【図３】
2009117197.tif 000005
【図４】
2009117197.tif 000006
【図５】
2009117197.tif 000007
【図６】
2009117197.tif 000008
【図７】
2009117197.tif 000009
【図８】
2009117197.tif 000010
【図９】
2009117197.tif 000011
【図１０】
2009117197.tif 000012